(57)【要約】【課題】主に、縫製線部や擬似縫合溝に関する問題を解決し得るようにする。【解決手段】表皮材２１に対して、縫製による縫製線部２２が形成されたステッチ付表皮部材２４に関する。  上記した表皮材２１の裏面側に、上記した縫製線部２２を縫製する際にガイド部または位置決め部となるガイド突起部４１を設けるようにする。  このガイド突起部４１は、射出成形によって表皮材２１に一体に形成される。【選択図】図２
2015019914.tif 000002
【特許請求の範囲】
【請求項１】
表皮材に対して、縫製による縫製線部が形成されたステッチ付表皮部材であって、
前記表皮材の裏面側に、前記縫製線部を縫製する際にガイド部または位置決め部となるガイド突起部を設けたことを特徴とするステッチ付表皮部材。
【請求項２】
前記表皮材の表面側における、前記ガイド突起部とは反対側となる位置またはその近傍に、縫い合わせ目を擬似的に表現した擬似縫合溝が形成されたことを特徴とする請求項１に記載のステッチ付表皮部材。
【請求項３】
表皮材を、射出成形によって形成すると共に、射出成形の際に、前記表皮材の裏面側に、表皮材から突出するガイド突起部を一体に形成し、
該ガイド突起部を前記表皮材のガイドや位置決め部に利用して、前記表皮材に縫製による縫製線部を形成させることを特徴とするステッチ付表皮部材の製造方法。
【請求項４】
前記表皮材の裏面側に一体形成した前記ガイド突起部を、
縫製装置の針板部に形成した凹溝部に嵌合することでガイドしながら縫製線部の縫製を行うことを特徴とする請求項３に記載のステッチ付表皮部材の製造方法。
【請求項５】
前記表皮材の裏面側に一体形成した前記ガイド突起部を、
前記表皮材を載置する縫製用表皮材受治具に形成した凹溝部に嵌合することで位置決めして縫製線部の縫製を行うことを特徴とする請求項３に記載のステッチ付表皮部材の製造方法。
【発明の詳細な説明】
【技術分野】
【０００１】
この発明は、ステッチ付表皮部材およびその製造方法に関するものである。
【背景技術】
【０００２】
自動車などの車両には、車室内の前部にインストルメントパネルなどの車両用内装部品が設置されている。
【０００３】
そして、上記した車両用内装部品には、硬質の芯材と軟質の表皮材との間に、クッション性を有する発泡層を介在させて一体化した（多層構造を有する）多層部品によって構成されたものが存在している。
【０００４】
そして、例えば、高級感を演出するなどのために、図７に示すように、上記した表皮材１に対し、（実際の縫製による）縫製線部２を設けたり、または、この縫製線部２の側部に擬似縫合溝３を存在させるようにしたりするなどして、皮革貼り調にする（ステッチ付表皮部材にする）ことも行われている（例えば、特許文献１参照）。なお、上記した擬似縫合溝３は、縫い合わせ目を擬似的に表現するために、表皮材１に対して予め設けられる溝である。
【先行技術文献】
【特許文献】
【０００５】
【特許文献１】特許第２７２７３４８号公報
【発明の概要】
【発明が解決しようとする課題】
【０００６】
しかしながら、上記ステッチ付表皮部材には、以下のような問題があった。
即ち、上記した擬似縫合溝３の側部に縫製によって縫製線部２を設ける際には、図８に示すように、ミシンなどの縫製装置に取付けたガイド部材５を、上記した擬似縫合溝３に沿って倣わせることにより、縫製線部２が擬似縫合溝３からズレないようにしていた。
しかし、このようなガイド部材５による倣いを行わせる場合、擬似縫合溝３の溝幅を、ある程度以上の大きさにしておかないと（溝幅ｗ１）、図９、図１０に示すように、ガイド部材５が擬似縫合溝３から外れ易くなってしまい（溝幅ｗ２、ｗ２＜ｗ１）、うまく倣わせることができなくなるので、擬似縫合溝３を、溝幅の広い、意匠性の低いものとせざるを得なかった。
【０００７】
これに対し、図９に示すように、溝幅を狭くして（溝幅ｗ２）擬似縫合溝３の意匠性を高めようとすると、溝幅が狭くなった擬似縫合溝３に対する既存のガイド部材５の入込量が浅くなってしまい（入込量ｈ１（図８），入込量ｈ２（図９）、ｈ２＜ｈ１）、上記したように、うまく倣わせることができなくなるため、その対策として、図１１に示すように、ガイド部材５の先端部を尖らせて擬似縫合溝３への入込量を所要量確保する必要が生じる。
しかし、このようにガイド部材５の先端部を尖らせると、倣い中に、尖ったガイド部材５（５ａ）が擬似縫合溝３内で引っ掛かったり、また、尖ったガイド部材５（５ａ）が擬似縫合溝３内に傷を付けたりするなどの新たな問題が生じることになるので、溝幅を狭くすることについては、これまで特に行われていなかった。
【０００８】
なお、ガイド部材５で擬似縫合溝３を倣わせながらの縫製のやり方では、縫製線部２を安定して高い精度に仕上げることが難しい、という本質的な問題も存在している。
【０００９】
一方で、上記した縫製線部２を、産業用ロボットを用いて自動縫製することなども行われている。この場合には、縫製線部２の複雑で微妙な形状を細かくティーチングする手間を省くために、図１２に示すように、産業用ロボット（図示せず）に取付けられたレーザースキャン装置７を用いて、縫製の前に予め、表皮材１ごとに擬似縫合溝３の位置をスキャンさせて縫製位置のデータを取得させるようにしている。このように、一枚ごとに表皮材１をスキャンするのは、表皮材１は、一枚ずつ擬似縫合溝３の位置や形状が微妙に異なっていることや、また、縫製の際に表皮材１を載置する縫製用表皮材受治具８は、表皮材１を正確に位置決めできるようなものではなかったこと、などによる。
しかし、上記したように、表皮材１が縫製用表皮材受治具８に対して正確に位置決め保持されていないことなどにより、擬似縫合溝３が、スキャンする範囲から外れてしまい、スキャン時間が延びたり、または、スキャンできなくなったりしてしまうおそれがある。そして、表皮材１が正確に位置決め保持されていないことによって、擬似縫合溝３に沿った正確な縫製線部２の縫製ができなくなってしまうおそれがある。しかも、擬似縫合溝３がない場合には、擬似縫合溝３をスキャンすることができないので、産業用ロボットを用いて自動縫製を行わせることが困難となっていた。
【００１０】
そこで、本発明は、上記したような縫製線部や擬似縫合溝に関する問題を解決することを主な目的としている。
【課題を解決するための手段】
【００１１】
本発明は、表皮材に対して、縫製による縫製線部が形成されたステッチ付表皮部材に関する。
そして、表皮材の裏面側に、縫製線部を縫製する際にガイド部または位置決め部となるガイド突起部を設けるようにしている。
また、本発明のステッチ付表皮部材の製造方法は、表皮材を、射出成形によって形成すると共に、射出成形の際に、表皮材の裏面側に、表皮材から突出するガイド突起部を一体に形成するものである。
そして、ガイド突起部を表皮材のガイド部や位置決め部に利用して、表皮材に縫製による縫製線部を形成させるようにする。
【発明の効果】
【００１２】
本発明のステッチ付表皮部材によれば、上記構成によって、以下のような作用効果を得ることができる。
即ち、表皮材の裏面側にガイド突起部を（一体に）設ける。これにより、表皮材の表面側に擬似縫合溝を設けなくても、ガイド突起部を用いて、縫製時の表皮材のガイドや位置決めを行わせることが可能となる。
よって、縫製装置に対し、上記した擬似縫合溝に倣うガイド部材を設ける必要をなくすことができると共に、ガイド部材による倣いの影響を受けることなく縫製線部を形成することができる。
しかも、表皮材の裏面側に形成されたガイド突起部を基準として表皮材を正確にガイドしたり位置決め保持したりすることができるので、正確且つ確実に擬似縫合溝に沿った縫製を行わせることができるようになる。
以って、蛇行することのない、品質や意匠性の優れた縫製線部を、常に安定して形成することが可能となる。
また、本発明のステッチ付表皮部材の製造方法によれば、上記構成によって、以下のような作用効果を得ることができる。
即ち、表皮材を射出成形によって形成する。これにより、表皮材の裏面側に、自由な形状のガイド突起部を一体に形成することが可能となる。よって、ガイド突起部を、ガイドや位置決めにとって最適な形状にすることができる。
そして、射出成形による表皮材の裏面側にガイド突起部を一体に設ける。これにより、ガイド突起部を用いて、表皮材をより直接的にガイドしたり位置決めしたりすることができるので、上記したように、擬似縫合溝に倣わせながら縫製線部を形成するような場合と比べて、縫製線部の品質を向上することが可能となる。
【図面の簡単な説明】
【００１３】
【図１】本発明の実施例にかかるステッチ付表皮部材を備えた車両用内装部品の正面図である。
【図２】（ａ）は図１のステッチ付表皮部材の部分拡大図である。（ｂ）は（ａ）のステッチ付表皮部材の断面図である。
【図３】ステッチ付表皮部材に縫製線部を形成する縫製装置の部分拡大斜視図である。
【図４】図３の正面図である。
【図５】縫製装置による縫製工程の全体を示す装置構成図である。
【図６】図５の縫製用表皮材受治具の概略斜視図である。
【図７】従来例にかかるステッチ付表皮部材の平面図である。
【図８】図７の断面図である。
【図９】擬似縫合溝の溝幅を狭くした状態を示す断面図である。
【図１０】ガイド部材が擬似縫合溝から外れた状態を示す断面図である。
【図１１】ガイド部材が内に傷を付けた状態を示す断面図である。
【図１２】表皮材の表面に形成された擬似縫合溝をスキャンしている状態を示す斜視図である。
【発明を実施するための形態】
【００１４】
以下、本実施の形態、および、それを具体化した実施例を、図面を用いて詳細に説明する。
図１〜図６は、この実施の形態の実施例およびその変形例を示すものである。
【実施例１】
【００１５】
＜構成＞以下、構成について説明する。
図１に示すように、自動車などの車両には、車室内の前部にインストルメントパネルなどの車両用内装部品２０が設置されている。
【００１６】
そして、例えば、上記した車両用内装部品２０を、硬質の芯材と軟質の表皮材２１との間に、クッション性を有する発泡層（またはクッション層）を介在させて一体化してなる多層構造の部品（多層部品）などによって構成する。
このような多層構造の車両用内装部品２０は、例えば、発泡成形型にセットされた芯材と表皮材２１との間に、発泡成形の原料となる発泡液を注入して、発泡成形型内で発泡液を発泡させることによって発泡層を成形するようにした、いわゆる発泡成形などによって製造されている。但し、車両用内装部品２０は、上記した多層部品に限るものではない。
【００１７】
そして、例えば、高級感を演出するなどのために、図１および図２（ａ）（ｂ）に示すように、上記した表皮材２１に対し、（実際の縫製による）縫製線部２２を設けたり、または、この縫製線部２２の側部に縫い合わせ目を擬似的に表現した擬似縫合溝２３を設けたりして、皮革貼り調にする（即ち、ステッチ付表皮部材２４とする）。
【００１８】
ここで、上記についての補足説明を行う。なお、補足説明については、必要に応じて参照すれば良い。
上記した「車両用内装部品２０」は、文字通り、車両の内装部品のことである。車両用内装部品２０には、上記したインストルメントパネルの他に、インストルメントパネルに取付けられるサブパネルや、グローブボックス、センターコンソール、コンソールボックス、ドアパネル、座席などが存在している。
【００１９】
上記した「ステッチ付表皮部材２４」は、文字通り、縫製線部２２が形成された表皮材２１のことである。
【００２０】
上記した「表皮材２１」は、文字通り、製品（この場合には、車両用内装部品２０）の表面を構成する部材のことである。表皮材２１は、基本的に、肉厚の薄いシート状のものなどが使用される。この場合には、自動車などの車両における、車室内の前部に設置されたインストルメントパネルなどの車両用内装部品２０の表皮材２１とされている。但し、表皮材２１はインストルメントパネルのものに限るものではない。例えば、上記した各種の車両用内装部品２０の表皮材２１などとすることができる。
【００２１】
上記した「縫製」は、表皮材２１を、図３、図４に示すような、ミシンなどの縫製装置２５を用いて実際に縫うことである。
【００２２】
なお、上記した縫製装置２５は、例えば、図５に示すように、産業用ロボット２６に取付けて自動縫製を行わせるのに適したものなどとされる。上記した産業用ロボット２６は、多関節アームを有して三次元的な動きや、より複雑な動きができるようにしたものとされる（多関節ロボット）。この産業用ロボット２６は、上記した縫製装置２５と、図６に示すようなレーザースキャン装置２７などのデータ取込装置と、を持ち替えて使用することができるか、または、同時に持って使用することができるようなものなどとされる。
【００２３】
そして、上記した縫製装置２５は、上糸と下糸とを絡めながら縫製を行う（縫製線部２２を形成する）装置である。図３、図４には、上糸を通した縫針３１を交換可能に保持すると共に、縫針３１を昇降動させる針棒３２（縫針昇降部）と、表皮材２１を下面側から部分的に保持する針板部３３（布下部保持部）および表皮材２１を上面側から押さえる押さえ部３４（布上部保持部）を有する布保持部と、が描かれている。
【００２４】
上記針板部３３は、縫針３１が通る孔部を有するものとされる。また、押さえ部３４は、縫針３１が通るスリット部を有するフォーク状の部分を備えたものとされる。そして、縫針３１は、これらの孔部およびスリット部を通して表皮材２１に刺し通されることになる。そして、縫針３１によって表皮材２１の裏面側へ取り出された上糸に下糸が絡められることによって、縫い目が形成されるようになっている。
【００２５】
そして、上記針板部３３と押さえ部３４とは、それぞれ表皮材２１の縫製を行っている部分の周囲を局部的に保持するようにした比較的小さな保持面を有するものとされる。なお、縫製装置２５のその他の構成については、周知であるので、これ以上の説明は省略する。この場合、縫製装置２５は、例えば、２本の縫製線部２２（ダブルステッチ）を同時に形成できるような二連式のものなどとされる（二連式縫製装置）。
【００２６】
上記した「縫製線部２２」は、縫製によって、表皮材２１に形成された縫い目（ステッチ）のことである。この縫製線部２２には、縫い目が１本のシングルステッチや、縫い目が２本の上記ダブルステッチなどがある。この場合には、上記したように、ダブルステッチとされる。製品品質上、縫製線部２２は、縫い目が均等であることが望まれる。更に、ダブルステッチの場合には、左右の縫い目がきれいに揃うと共に、曲線部では左右の縫い目に内輪差や外輪差などが極力生じないようにすることが望まれる。
【００２７】
そして、以上のような基本的な構成に対し、この実施例のものでは、以下のような構成を備えるようにしている。
【００２８】
（構成１）
図２（ｂ）に示すように、上記した表皮材２１の裏面側に、上記した縫製線部２２を縫製する際にガイド部または位置決め部となるガイド突起部４１を設けるようにする。
【００２９】
（補足説明１）
ここで、上記した「裏面側」は、（薄いシート状の）表皮材２１の、製品表面となる面とは反対側の面のことである。
【００３０】
上記した「ガイド突起部４１」は、表皮材２１の裏面側に一体に形成される。このガイド突起部４１は、縫製線部２２を形成する際に、ガイド部として使用したり、表皮材２１の位置決め部として使用したりすることができるような形状や大きさなどを有する突起部のことである。このガイド突起部４１は、好ましくは、縫製線部２２にほぼ沿って連続して延びる突条などとされる。但し、ガイド突起部４１は、その一部に不連続な部分を有するものなどとすることができる。また、ガイド突起部４１は、製品の内部となる位置に形成されるようにしても良いし、または、後工程でカットされることによって製品の外部となる位置などに形成されるようにしても良い。
【００３１】
このガイド突起部４１は、例えば、上記した真空成形などによって、均一な肉厚を有するシート状の表皮材２１を部分的に凹むように賦形するなどして形成された擬似縫合溝２３の裏面側にできるような僅かな突出形状とは、大きさや形状において本質的に異なるものである。これは、真空成形によって擬似縫合溝２３の裏面側にできる突出形状が、裏面側への突出量が小さく、しかも、形状があまりはっきりしないものであり、ガイド部や位置決め部として使用するには不十分だからである。よって、この場合には、ガイド突起部４１を、例えば、表皮材２１に対して十分に肉厚が大きく、また、ほぼ台形状や矩形状などのように断面形状がはっきりしたものなどとなるようにしている。
【００３２】
（構成２）
上記した表皮材２１の表面側における、上記したガイド突起部４１とは反対側となる位置またはその近傍に、縫い合わせ目を擬似的に表現した擬似縫合溝２３が形成されるようにする。
【００３３】
（補足説明２）
ここで、上記した「表面側」は、表皮材２１の、製品表面となる面のことである。
【００３４】
上記した「ガイド突起部４１とは反対側となる位置の近傍」は、表皮材２１の表面と裏面とに対し、擬似縫合溝２３とガイド突起部４１とが、同じ位置に形成されること、または、近い位置に形成されることである。この場合には、同じ位置に（ガイド突起部４１の中央部に擬似縫合溝２３が食い込んだような形状となるように）形成している。擬似縫合溝２３は、縫製線部２２やガイド突起部４１に沿ったものとされる。
【００３５】
上記した「縫い合わせ目」は、例えば、二枚の布状体を重ね合わせて互いに縫い合わせ、その後、拡げることによって、二枚の布状体を縫い合わせた部分の間にできる繋ぎ目の窪みのことである。この場合には、一枚の表皮材２１によって、縫い合わせ目を擬似的に表現させるようにしている。
【００３６】
上記した「擬似縫合溝２３」は、上記した縫い合わせ目を擬似的に模倣した溝部のことである。即ち、実際の縫い合わせ目ではないものを、あたかも縫い合わせ目であるかのように見せるためのものである。この場合、擬似縫合溝２３は、ミシンなどの縫製装置２５に取付けたガイド部材で倣わせる必要のないものとなるので、意匠性のみを考慮して、これまでのものよりも溝幅を狭く形成することができる（狭幅擬似縫合溝、非倣い用擬似縫合溝）。
【００３７】
なお、擬似縫合溝２３の側部には、必要に応じて、縫製線部２２を形成する位置を示す、薄いガイド線４３（図２（ｂ）参照）を形成することができる。このガイド線４３は、擬似縫合溝２３よりも浅い、極めて微かな線状の窪みであり、縫製線部２２を形成した時に、縫合糸４４によって表皮材２１をきつく縫い込んだ状態を表現したり強調したりするためのものであると共に、縫合糸４４の上面が、表皮材２１の表面から過度に突出し過ぎないように縫合糸４４の高さを調整するためのものである。そして、縫製線部２２は、このガイド線４３の上に形成されるため、縫製線部２２がこのガイド線４３から僅かにでも外れてしまうと、縫製線部２２の乱れが目立ってしまうので、製品品質の低下が明確になる。よって、縫製線部２２を正確に形成できる場合にのみ、このガイド線４３は、その機能を十分に発揮することができる。
【００３８】
以下、上記したステッチ付表皮部材２４の製造方法について説明する。
【００３９】
（構成３）
表皮材２１を、射出成形によって形成する（射出成形工程および射出成形表皮）。この射出成形の際に、表皮材２１の裏面側に、図２（ｂ）に示すように、表皮材２１から突出するガイド突起部４１を一体に形成する（表皮材一体型ガイド突起）。
そして、図３〜図５に示すように、このガイド突起部４１を上記した表皮材２１のガイド部や位置決め部に利用して、この表皮材２１に縫製による縫製線部２２を形成させるようにする（縫製工程）。
【００４０】
（補足説明３）
ここで、上記した「射出成形」は、金型内に溶融した樹脂材料を注入することによって樹脂製品を製造する成形技術のことである。射出成形により、ガイド突起部４１は、表皮材２１に一体に形成される。なお、この射出成形以外では、（薄いシート状の）表皮材２１の裏面側に、自由な形状（肉厚や断面形状など）のガイド突起部４１、または、ガイドや位置決めに適したようなガイド突起部４１を一体に作成することは困難である。
【００４１】
上記した「ガイド突起部４１を上記した表皮材２１のガイド部や位置決め部に利用する」とは、表皮材２１の裏面側で、ガイド突起部４１を使って、表皮材２１をガイドしたり位置決めしたりすることである。具体的なガイドの仕方や位置決めの仕方については後述する。
【００４２】
なお、上記した擬似縫合溝２３については、設けるのが好ましいが、設けても、設けなくても良い。
【００４３】
（構成４）
図３、図４に示すように、上記した表皮材２１の裏面側に一体形成した上記ガイド突起部４１を、縫製装置２５の針板部３３に形成した凹溝部５１に嵌合することでガイドしながら縫製線部２２の縫製を行うようにする。
【００４４】
（補足説明４）
ここで、上記した「凹溝部５１」は、ガイド突起部４１とほぼ同じ断面形状を有するものとされる。この凹溝部５１は、縫製装置２５の針板部３３に対して、縫製線部２２の縫製方向に沿って延びるように形成される。
【００４５】
この場合には、２本の縫製線部２２（ダブルステッチ）が形成されるようにした縫製装置２５の針板部３３の、２本の縫針３１を通すための２つの孔部の間に、凹溝部５１が形成されるようにしている。
【００４６】
（構成５）
図６（図５も併せて参照のこと）に示すように、上記した表皮材２１の裏面側に一体形成した上記ガイド突起部４１を、上記した表皮材２１を載置する縫製用表皮材受治具５５に形成した凹溝部５１に嵌合することで位置決めして縫製線部２２の縫製を行うようにする。
【００４７】
（補足説明５）
ここで、上記した「縫製用表皮材受治具５５」は、縫製の際に、表皮材２１を載置保持する縫製台である。この縫製用表皮材受治具５５は、例えば、表皮材２１を真空引きによって固定するようなものなどとされている。この縫製用表皮材受治具５５は、必要な場合には、例えば、図５に示すように、水平回転機構５６を介して水平回転可能なものなどとすることができる。あるいは、縫製用表皮材受治具５５は、図示しない昇降機構を介して昇降可能なものとしたり、図示しない垂直回転機構を介して縦回転可能なものとしたり、あるいは、これらを組み合わせたようなものなどとすることができる。
【００４８】
上記した産業用ロボット２６と、縫製用表皮材受治具５５とは、例えば、安全柵５７によって囲われた空間の内部に設置させるようにする。そして、安全柵５７の外側にいる作業員が、部品棚５８に収納された未加工の表皮材２１を、安全柵５７に設けた作業穴から安全柵５７内の縫製用表皮材受治具５５にセットし、操作盤５９を操作して、縫製用表皮材受治具５５を回転させたり、産業用ロボット２６を作動させたりして、レーザースキャン装置２７によるスキャンや、縫製装置２５による縫製などを行わせ、縫製終了後に、縫製線部２２が形成された表皮材２１（ステッチ付表皮部材２４）を縫製用表皮材受治具５５から取り外し、安全柵５７の外部へ取り出して、部品棚５８の別の収納位置などへ収納するような設備構成などとされる。
【００４９】
そして、上記工程の初期にて、図６に示すような、凹溝部５１を有する縫製用表皮材受治具５５に対して、その凹溝部５１にガイド突起部４１が嵌合されるように、表皮材２１をセットする。なお、この場合には、縫製線部２２は、例えば、ガイド突起部４１から離れた位置などに形成されることになる。
【００５０】
なお、構成４と構成５とは、どちらか一方を用いれば良い。
【００５１】
＜作用効果＞この実施例によれば、以下のような作用効果を得ることができる。
（作用効果１）
表皮材２１の裏面側にガイド突起部４１を（一体に）設けた。これにより、表皮材２１の表面側に擬似縫合溝２３を設けなくても、ガイド突起部４１を用いて、縫製時の表皮材２１のガイドや位置決めを行わせることが可能となる。
よって、縫製装置２５に対し、上記した擬似縫合溝２３に倣うガイド部材を設ける必要をなくすことができると共に、ガイド部材による倣いの影響（即ち、ガイド部材が、擬似縫合溝２３からが外れたり、擬似縫合溝２３を傷付けたりすることなど）を受けることなく縫製線部２２を形成することができる。
【００５２】
しかも、表皮材２１の裏面側に形成されたガイド突起部４１を基準として表皮材２１をガイドしたり位置決め保持したりすることができるので、正確且つ確実に擬似縫合溝２３に沿った縫製を行わせることができるようになる。
以って、蛇行することのない、品質や意匠性の優れた縫製線部２２を、常に安定して形成することが可能となる。
【００５３】
（作用効果２）
表皮材２１の表面側に擬似縫合溝２３を設ける。これによって、縫製線部２２が形成される表皮材２１に高級感を演出することができる。しかも、この場合、擬似縫合溝２３は、倣いを行わせるためのものではないので、溝幅を狭くするなどして、意匠性を高めることができる。
【００５４】
そして、ガイド突起部４１の表面側に擬似縫合溝２３を設ける。これによって、ガイド突起部４１と関連させて擬似縫合溝２３の位置精度を上げることができるので、擬似縫合溝２３の側部に精度良く安定して縫製線部２２を形成することが可能となる。
【００５５】
また、上記により、擬似縫合溝２３の位置精度が上がるので、例えば、産業用ロボット２６に縫製装置２５を取付けて自動縫製を行わせるために、予め表皮材２１の表面側の擬似縫合溝２３をスキャンするような場合に、擬似縫合溝２３が、産業用ロボット２６に取付けられたレーザースキャン装置２７のスキャン範囲から外れることがなくなるので、スキャン時間が延びたり、スキャンできなくなったりすることを防止でき、擬似縫合溝２３を精度良くスキャンすることが可能となる。
【００５６】
（作用効果３）
表皮材２１を射出成形によって形成する。これにより、表皮材２１の裏面側に、自由な形状のガイド突起部４１を一体に形成することが可能となる。よって、ガイド突起部４１を、ガイドや位置決めにとって最適な形状にすることができる。
【００５７】
そして、射出成形による表皮材２１の裏面側にガイド突起部４１を一体に設ける。これにより、ガイド突起部４１を用いて、表皮材２１をより直接的にガイドしたり位置決めしたりすることができるので、上記したように、擬似縫合溝２３に倣わせながら縫製線部２２を形成するような、比較的精度の低いガイドを行わせる場合と比べて、縫製線部２２の品質を向上することが可能となる。
【００５８】
（作用効果４）
縫製装置２５の針板部３３に形成した凹溝部５１に、表皮材２１の裏面側に形成したガイド突起部４１を嵌合する。これによって、裏面側にガイド突起部４１を有する表皮材２１を、凹溝部５１を利用して針板部３３で正確かつ確実にガイドさせながら縫製を行わせることが可能となる。以って、より正確な縫製線部２２を形成することができるようになる。
【００５９】
（作用効果５）
縫製用表皮材受治具５５に形成した凹溝部５１に、表皮材２１の裏面側に形成したガイド突起部４１を嵌合する。これによって、裏面側にガイド突起部４１を有する表皮材２１を、縫製用表皮材受治具５５に正確かつ確実に位置決めすることが可能となる。以って、より正確な縫製線部２２を形成することができるようになる。
【００６０】
これに対し、縫製用表皮材受治具５５に凹溝部５１がない場合には、表皮材２１全体を正確に位置決めした状態で縫製用表皮材受治具５５にセットすることが難しく、また、位置ズレがあっても修正することが難しいものとなる。
【００６１】
しかも、縫製用表皮材受治具５５の凹溝部５１は、複数の表皮材２１に共通して使用されるものであり、表皮材２１のように個々にバラ付きがないため、最初に一度、凹溝部５１の位置をスキャンしておくだけで、表皮材２１や縫製位置などの正確な位置を取得することができるので、一枚ごとに表皮材２１をスキャンする手間をなくすことなども可能となる。その分、作業時間の短縮化を図ることなどが可能となる。
【００６２】
以上、この発明の実施例を図面により詳述してきたが、実施例はこの発明の例示にしか過ぎないものである。よって、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６３】
２１  表皮材
２２  縫製線部
２３  擬似縫合溝
２４  ステッチ付表皮部材
２５  縫製装置
３３  針板部
４１  ガイド突起部
５１  凹溝部
５５  縫製用表皮材受治具
【図１】
2015019914.tif 000003
【図２】
2015019914.tif 000004
【図３】
2015019914.tif 000005
【図４】
2015019914.tif 000006
【図５】
2015019914.tif 000007
【図６】
2015019914.tif 000008
【図７】
2015019914.tif 000009
【図８】
2015019914.tif 000010
【図９】
2015019914.tif 000011
【図１０】
2015019914.tif 000012
【図１１】
2015019914.tif 000013
【図１２】
2015019914.tif 000014